(57)【要約】【課題】ＡＬＣパネルによって構成される縦壁パネルにおいてロッキング機構が発現した場合に、取付け金物との干渉に起因して発生する、ＡＬＣパネルの破損を防止すること。【解決手段】自重受けプレート１１と、バックプレート１２と、を含んでなり、自重受けプレート１１は、パネル載置板１１１と、上向きアンカー１１２と、１１３とを有し、上向きアンカー１１２の先端には掛止部１１３が形成されていて、バックプレート１２には、上向きに凸な円弧である下辺１２３と、いずれも外向きに凸な円弧であって下辺１２３から上辺１２２に向けて相互の間隔が漸増する両側辺１２４と、直線状の上辺１２２と、に囲まれてなる、横長の貫通孔である継合用スリット１２１が形成されていることいより、自重受けプレート１１とバックプレート１２とが揺動可能に継合されている取付け金物１とする。【選択図】図５
2019019533.tif 000002
【特許請求の範囲】
【請求項１】
軽量気泡コンクリートパネル用の取付け金物であって、
自重受けプレートと、バックプレートと、を含んでなり、
前記自重受けプレートは、パネル載置板と、アンカー部と、を含んでなり、
前記アンカー部は、前記パネル載置板の側辺の中央から延出する上向きアンカーと、該側辺の両端部近傍からそれぞれ延出する２つの下向きアンカーと、からなり、
前記上向きアンカーの先端には該上向きアンカーの先端が折り返されてなる掛止部が形成されていて、
前記バックプレートは、上段側パネル取付け面と、下段側パネル取付け面と、該上段側パネル取付け面と該下段側パネル取付け面との間に位置する建物躯体側固定面とが連接してなり、前記建物躯体側固定面が、前記上段側パネル取付け面及び前記下段側パネル取付け面の表面に対する裏面側方向に膨出するように屈曲されていて、
前記上段側パネル取付け面及び前記下段側パネル取付け面には、水平方向における中心を通る中心線上にピン止め用の貫通孔が形成されていて、
前記建物躯体側固定面には、継合用スリットが形成されていて、
前記継合用スリットは、上向きに凸な円弧である下辺と、いずれも外向きに凸な円弧であって下辺から上辺に向けて相互の間隔が漸増する両側辺と、直線状の上辺と、に囲まれてなる、横長の貫通孔であって、
前記上向きアンカーを前記掛止部により前記継合用スリットに掛止する態様で、前記自重受けプレートと前記バックプレートとが揺動可能に継合されている取付け金物。
【請求項２】
請求項１に記載の取付け金物の前記自重受けプレートに、軽量気泡コンクリートパネルが縦置きで載置されていて、
前記軽量気泡コンクリートパネルは、前記下段側パネル取付け面に形成されている貫通孔を通したピン部材と、前記上段側パネル取付け面に形成されている貫通孔を通したピン部材と、によって、該軽量気泡コンクリートパネルの上下に配置されるそれぞれの前記取付け金物のバックプレートに接合されている軽量気泡コンクリートパネルの取付け構造。
【請求項３】
軽量気泡コンクリートパネル用の取付け金物組立てキットであって、
自重受けプレートと、バックプレートと、を含んでなり、
前記自重受けプレートは、パネル載置板と、アンカー部と、を含んでなり、
前記アンカー部は、前記パネル載置板の側辺の中央から延出する上向きアンカーと、該側辺の両端部近傍からそれぞれ延出する２つの下向きアンカーと、からなり、
前記上向きアンカーの先端には該上向きアンカーの先端が折り返されてなる掛止部が形成されていて、
前記バックプレートは、上段側パネル取付け面と、下段側パネル取付け面と、該上段側パネル取付け面と該下段側パネル取付け面との間に位置する建物躯体側固定面とが連接してなり、前記建物躯体側固定面が、前記上段側パネル取付け面及び前記下段側パネル取付け面の表面に対する裏面側方向に膨出するように屈曲されていて、
前記上段側パネル取付け面及び前記下段側パネル取付け面には、水平方向における中心を通る中心線上にピン止め用の貫通孔が形成されていて、
前記建物躯体側固定面には、継合用スリットが形成されていて、
前記継合用スリットは、上向きに凸な円弧である下辺と、いずれも外向きに凸な円弧であって下辺から上辺に向けて相互の間隔が漸増する両側辺と、直線状の上辺と、に囲まれてなる、横長の貫通孔である、取付け金物組立てキット。
【請求項４】
請求項３に記載の取付け金物組立てキットと、軽量気泡コンクリートパネルを用いた、軽量気泡コンクリートパネル壁体の形成方法であって、
前記取付け金物組立てキットを一体化して取付け金物を組立てる工程と、
前記取付け金物に前記軽量気泡コンクリートパネルを載置する工程と、を、
いずれも前記軽量気泡コンクリートパネル壁体を設置する建物の建設現場において行う軽量気泡コンクリートパネル壁体の形成方法。
【発明の詳細な説明】
【技術分野】
【０００１】
本発明は、軽量気泡コンクリートパネル（ＡＬＣパネル）用の取付け金物に関する。詳しくは、ＡＬＣパネルが縦方向に隣接配置されてなる壁体に、適切なロッキング機構を付与することができる取付け金物、及び、それを用いた軽量気泡コンクリートパネルの取付け構造に関する。
【背景技術】
【０００２】
軽量性、耐熱性、耐火性等の特性に優れるＡＬＣパネルは、一般にパネル表面が長方形である板状に形成されている。このようなＡＬＣパネルを、その長手方向を鉛直方向に向けて上下に隣接配置して壁体を形成する場合には、上段側のパネルを載置する自重受けプレートと、上段側及び下段側のパネルを締結するためのボルト孔を上下端部に有するバックプレートとを備える取付け金物を用いた構法によることが一般的である（特許文献１参照）。
【０００３】
ここで、上述のようにＡＬＣパネルを縦積みした構成からなる壁体は、地震等により一定以上の外力が加わった場合に、建物の各階に生じる層間変位に伴うパネル取付け部に生じる応力が許容応力度を超え、ＡＬＣパネルの脱落や局部的破壊が生じてしまう危険性があった。これを回避するため、このようなＡＬＣ壁体においては、壁面方向内でのＡＬＣパネルの微少な回転により上記の応力を開放することで必要な免震性を担保するロッキング機構が広く採用されている。
【０００４】
ＡＬＣパネルを縦積みした構成からなる壁体、即ち縦壁構法によるＡＬＣ壁体に、ロッキング機構を付与するためのＡＬＣパネルの取付け構造としては、上下のパネル間の目地部にモルタルを充填せずに、パネル幅方向の中心部のパネル上部と下部に埋設されている金具とアンカー金具（図３の８）と、をピン固定用ボルト（図３の７）等によるピン支持によって微少回転可能に固定する構造が広く採用されている（特許文献２参照）。このようなＡＬＣパネルの取付け構造によれば、Ｈ形鉄骨梁等の建物躯体に対して、ＡＬＣパネルがその上部と下部の幅方向中心部の２点のみで取付けられているため、上部と下部の幅方向の両側の４点で取り付ける場合と異なり、地震の際にＨ形鉄骨梁等が横方向にズレて躯体側の構造が変形したとしても、ＡＬＣパネルがその変形に追随して、上述のようなＡＬＣパネルの脱落や局部的破壊を回避することができる。
【先行技術文献】
【特許文献】
【０００５】
【特許文献１】特開２０１４−１５７３７号公報
【特許文献２】特開平１１−２５６７３７号公報
【発明の概要】
【発明が解決しようとする課題】
【０００６】
ここで、特許文献２に開示されているような従来のＡＬＣパネルの取付け構造においては、ＡＬＣパネルを載置する自重受けプレートは、下地鋼材等を介して、溶接或いはボルト締め等の方法で、建物躯体に強固に固定されている（図６の１Ｃ、１Ｄ）。このような取付け構造（図６の２０）においてロッキング機構が発現した場合には、ＡＬＣパネルは、自重受けプレートに支持されたままの状態でパネル上下のピン支持点を中心として面内方向に微小回転する。そして、この際に、ＡＬＣパネルの下端と自重受けプレートとの間に干渉が生じる。このような干渉が生じた場合、自重受けプレートとＡＬＣパネルとの接点（図６のＰ１、Ｐ２）において、自重受けプレートの一部がＡＬＣパネルの端部にめり込むような挙動となり、ＡＬＣパネルに大きな負荷がかかることとなる（図６参照）。又、自重受けプレートのＡＬＣパネルへのめり込みが生じない場合においても、ＡＬＣパネルが浮き上がる挙動を示して、上部側の金物との干渉が生じて同様の負荷がＡＬＣパネルにかかることもある（図６参照）。これら、いずれの場合も、上記負荷が許容範囲を超えて、ＡＬＣパネルの局部的破損が引き起こされるおそれがあるという問題があった。
【０００７】
本発明は、ＡＬＣパネルによって構成される縦壁パネルにおいてロッキング機構が発現した場合に、取付け金物との干渉に起因して発生する、ＡＬＣパネルの破損を防止することを課題とする。
【課題を解決するための手段】
【０００８】
本発明者らは、自重受けプレートが、独自の形態からなる継合用スリットに掛止する態様でバックプレートに揺動可能に継合されている構造を有する取付け金物によって、上記課題が解決できることを見出し、本発明を完成するに至った。具体的には、本発明は、以下のものを提供する。
【０００９】
（１）  軽量気泡コンクリートパネル用の取付け金物であって、自重受けプレートと、バックプレートと、を含んでなり、前記自重受けプレートは、パネル載置板と、アンカー部と、を含んでなり、前記アンカー部は、前記パネル載置板の側辺の中央から延出する上向きアンカーと、該側辺の両端部近傍からそれぞれ延出する２つの下向きアンカーと、からなり、前記上向きアンカーの先端には該上向きアンカーの先端が折り返されてなる掛止部が形成されていて、前記バックプレートは、上段側パネル取付け面と、下段側パネル取付け面と、該上段側パネル取付け面と該下段側パネル取付け面との間に位置する建物躯体側固定面とが連接してなり、前記建物躯体側固定面が、前記上段側パネル取付け面及び前記下段側パネル取付け面の表面に対する裏面側方向に膨出するように屈曲されていて、前記上段側パネル取付け面及び前記下段側パネル取付け面には、水平方向における中心を通る中心線上にピン止め用の貫通孔が形成されていて、前記建物躯体側固定面には、継合用スリットが形成されていて、前記継合用スリットは、上向きに凸な円弧である下辺と、いずれも外向きに凸な円弧であって下辺から上辺に向けて相互の間隔が漸増する両側辺と、直線状の上辺と、に囲まれてなる、横長の貫通孔であって、前記上向きアンカーを前記掛止部により前記継合用スリットに掛止する態様で、前記自重受けプレートと前記バックプレートとが揺動可能に継合されている取付け金物。
【００１０】
（１）の発明は、従来、建物躯体に固定されていた取付け金物を、ロッキング性能の発現時に、自重受けプレートの部分のみが、ＡＬＣパネルの微少回転に追従して揺動することが可能な構成とした。これによれば、ＡＬＣパネルによって構成される縦壁パネルにおいてロッキング機構が発現した場合に、取付け金物との干渉に起因して発生するＡＬＣパネルの破損を防止することができる。
【００１１】
（２）  （１）に記載の取付け金物の前記自重受けプレートに、軽量気泡コンクリートパネルが縦置きで載置されていて、前記軽量気泡コンクリートパネルは、前記下段側パネル取付け面に形成されている貫通孔を通したピン部材と、前記上段側パネル取付け面に形成されている貫通孔を通したピン部材と、によって、該軽量気泡コンクリートパネルの上下に配置されるそれぞれの前記取付け金物のバックプレートに接合されている軽量気泡コンクリートパネルの取付け構造。
（２）の発明によれば、（１）の発明の効果を享受することにより、ＡＬＣパネルによって構成される縦壁パネルタイプの壁体において、ロッキング機構が発現した際における、パネル破損のリスクを顕著に低減させることができる。これにより、上記壁体の免震性に係る品質の向上に貢献することができる。
【００１２】
（３）  軽量気泡コンクリートパネル用の取付け金物組立てキットであって、自重受けプレートと、バックプレートと、を含んでなり、前記自重受けプレートは、パネル載置板と、アンカー部と、を含んでなり、前記アンカー部は、前記パネル載置板の側辺中央から延出する上向きアンカーと、該側辺の両端部近傍からそれぞれ延出する２つの下向きアンカーと、からなり、前記上向きアンカーの先端には該上向きアンカーの先端が折り返されてなる掛止部が形成されていて、前記バックプレートは、上段側パネル取付け面と、下段側パネル取付け面と、該上段側パネル取付け面と該下段側パネル取付け面との間に位置する建物躯体側固定面とが連接してなり、前記建物躯体側固定面が、前記上段側パネル取付け面及び前記下段側パネル取付け面の表面に対する裏面側方向に膨出するように屈曲されていて、前記上段側パネル取付け面及び前記下段側パネル取付け面には、水平方向における中心を通る中心線上にピン止め用の貫通孔が形成されていて、前記建物躯体側固定面には、継合用スリットが形成されていて、前記継合用スリットは、上向きに凸な円弧である下辺と、いずれも外向きに凸な円弧であって下辺から上辺に向けて相互の間隔が漸増する両側辺と、直線状の上辺と、に囲まれてなる、横長の貫通孔である、取付け金物組立てキット。
【００１３】
（３）の発明によれば、従来のＡＬＣパネルの取付け構造におけるロッキング機構構成用の金物と取付け金物とに対応する両金具を、アンカー部と独自形状からなる継合用スリットの継合によってこれらを揺動可能な構造で組立てて一体化させて用いる組立てキットとした。この組立てキットによっても、（１）又は（２）の発明の効果を享受することができ、尚且つ、これを用いることにより、下記（４）の発明の奏する効果をも併せて享受することができる。
【００１４】
（４）  （３）に記載の取付け金物組立てキットと、軽量気泡コンクリートパネルを用いた、軽量気泡コンクリートパネル壁体の形成方法であって、前記取付け金物組立てキットを一体化して取付け金物を組立てる工程と、前記取付け金物に前記軽量気泡コンクリートパネルを載置する工程と、を、いずれも前記軽量気泡コンクリートパネル壁体を設置する建物の建設現場において行う軽量気泡コンクリートパネル壁体の形成方法。
【００１５】
（４）の発明によれば、取付け用金物を、（３）に記載の組み立てキットを用いて建築現場において組立てる構法とすることにより、工場組立て品と比較して、例えば、自重受け金具へのパネル載置金具の最終的な一体化を、現場の状況に合わせて任意の工程段階でフレキシブルに行うことができる点や、不具合が生じている一部金物の部分交換が可能であるという点等において、更に有利な効果を享受することができる。
【発明の効果】
【００１６】
本発明によれば、ＡＬＣパネルによって構成される縦壁パネルにおいてロッキング機構が発現した場合に、取付け金物との干渉に起因して発生する、ＡＬＣパネルの破損を防止することができる軽量気泡コンクリートパネル用の取付け金物を提供して、ロッキング機構を備えるＡＬＣパネル壁体の品質向上に寄与することができる。
【図面の簡単な説明】
【００１７】
【図１】本発明の取付け金物の斜視図である。
【図２】本発明の取付け金物を構成する金具からなる取付け金物組立てキットの各金物の斜視図である。
【図３】本発明の取付け金物を用いた軽量気泡コンクリートパネルの取付け構造の側面図である。
【図４】本発明の取付け金物を用いた軽量気泡コンクリートパネルの取付け構造を備える壁体の分解斜視図である。
【図５】本発明の取付け金物における自重受けプレートとバックプレートとの継合構造及び取付け金物のロッキング機構の説明に供する正面図である。
【図６】従来の取付け構造におけるロッキング性能発現時のＡＬＣパネルと取付け加金物との干渉の態様の説明に供する正面図である。
【発明を実施するための形態】
【００１８】
以下、本発明の取付け金物を用いた軽量気泡コンクリートパネルの取付け構造を適用して構成された壁体（以下、単に、「壁体」とも言う）、本発明の軽量気泡コンクリートパネルの取付け構造（以下、単に、「取付け構造」とも言う）、及び、本発明の軽量気泡コンクリートパネル用の取付け金物（以下、単に、「取付け金物」とも言う）の好ましい実施形態について説明する。
【００１９】
＜壁体＞
図４は、本発明の取付け金物を用いた軽量気泡コンクリートパネルの取付け構造を適用して構成された壁体１００の立面図である。壁体１００はロッキング機構を備える。このロッキング機構は、主として取付け構造１０によって担保されている。取付け構造１０とは、取付け金物１にＡＬＣパネル２が載置されてなる部分に形成されている両者の接合部分とその周辺の構造のことを言う。
【００２０】
壁体１００においては、複数の長方形のＡＬＣパネル２が上下に縦積み配置されている。ＡＬＣパネル２は、壁体１００を構成する個々のＡＬＣパネル２毎に設置されている取付け金物１によって、その重量を支持されている。取付け金物１は、Ｌ字アングル等の下地鋼材３を介して建物躯体４に固定されている。そして、取付け金物１は、ＡＬＣパネル２の下部小口面における幅方向の中心に対応する位置に配置されることにより、ＡＬＣパネル２の重量を有効に支持している。
【００２１】
＜取付け構造＞
取付け金物１とＡＬＣパネル２との接合構造である取付け構造１０においては、ＡＬＣパネル２が、取付け金物１の自重受けプレート１１上に載置されている。そして、バックプレート１２には、本発明独自の形状からなる継合用スリット１２１が形成されている。自重受けプレート１１が、この継合用スリット１２１に、下記の通り、「揺動可能」に継合されていることにより、取付け構造１０においては、上述したようなロッキング性能発現時におけるＡＬＣパネルの破損を防止することができる。
【００２２】
＜取付け金物＞
取付け金物１は、図３、図５に示すように、自重受けプレート１１と、バックプレート１２とが、揺動可能に継合されることにより構成されている。本明細書において、「揺動可能」とは、取付け金物１を含んでなる取付け構造１０によって壁体１００を構成する場合において、取付け金物１の自重受けプレート１１がバックプレート１２に対して、壁体１００のロッキング性能、即ち、上述の通り、ＡＬＣパネル２の微少な回転により外力により生ずる応力を開放する性能を発現させるために必要な範囲で、ＡＬＣパネル２の微少な回転に追従して揺動することが可能であることを意味する。
【００２３】
自重受けプレート１１は、図１に示すような櫛型形状、或いは、矩形形状等、いずれにしても、ＡＬＣパネルの端部小口面を支持可能な形状のパネル載置板１１１と、パネル載置板１１１の側辺から延出するアンカー部と、を含んでなる金属部材である。これらの各部分を含んでなる自重受けプレート１１は、例えば、所定の形状に打ち抜いた一枚の金属板を、所定の位置において折り曲げ加工することによって上記各部分を含んでなるものとして成形することができる。
【００２４】
アンカー部は、自重受けプレート１１を構成するパネル載置板１１１の一側辺の中央から垂直上向き（下向きアンカー１１４の延出方向と逆向き）に延出する上向きアンカー１１２と、パネル載置板１１１の一側辺の両端部近傍から垂直下向き（上向きアンカー１１２の延出方向と逆向き）に延出する下向きアンカー１１４とからなる。上向きアンカー１１２の先端には、その一部が垂直下向きに折り曲げられてなる掛止部１１３が形成されている。
【００２５】
図１に示すように、取付け金物１において、上向きアンカー１１２は、掛止部１１３によって、バックプレート１２に形成される継合用スリット１２１に掛止されている。下向きアンカー１１４は、その表面がバックプレート１２の前面に接する態様で、自重受けプレート１１の平常時の水平配置の安定性を保持する。これらの安定性は、いずれも有事におけるロッキング性能の発現を阻害しない範囲で保持されるものである。
【００２６】
取付け金物１は、上向きアンカー１１２における掛止部１１３までの部分の長さを調整することにより、自重受けプレート１１を構成するパネル載置板１１１の垂直位置を任意の位置に調整することができる。
【００２７】
バックプレート１２は、自重受けプレート１１を継合させるための継合用スリット１２１が形成されている略矩形形状の金属部材である。
【００２８】
バックプレート１２は、図１、図２に示す通り、上段側パネル取付け面１２ａと、下段側パネル取付け面１２ｃと、上段側パネル取付け面１２ａと下段側パネル取付け面１２ｃとの間に位置する建物躯体側固定面１２ｂとが連接してなる略矩形板状の金属部材である。上段側パネル取付け面１２ａ、建物躯体側固定面１２ｂ、下段側パネル取付け面１２ｃは相互に平行であり、尚且つ、建物躯体側固定面１２ｂが、上段側パネル取付け面１２ａ及び下段側パネル取付け面１２ｃの表面に対する裏面側方向に膨出するように、且つ、これらの３つ面が相互に平行となるようにバックプレート１２は、各部の連接部分において屈曲形成されている。バックプレート１２を構成する各面がこのように形成されていることにより、図３に示すように、建物躯体側固定面１２ｂとＡＬＣパネル２との間の隙間部分に自重受けプレート１１の各アンカー部の厚み分を収納して、取付け構造１０の安定性を高めることができる。
【００２９】
上段側パネル取付け面１２ａには、同面内の水平方向における中心を通る中心線上にピン止め用の貫通孔が形成されている。この貫通孔は、図１、図２に示されるように、バックプレート１２の上辺から切り欠き形成された上部ピン止め用スリット１２５であることがより好ましい。上段のＡＬＣパネル２を載置する際に、アンカー金具８及びピン固定用ボルト７を予めＡＬＣパネル２に取付けた状態で載置する事ができ、施工性の向上に寄与できるからである。
【００３０】
下段側パネル取付け面１２ｃには、同面内の水平方向における中心を通る中心線上に下部ピン止め用貫通孔１２６が形成されている。この貫通孔は、図１、図２に示されるように、バックプレート１２の鉛直方向を長径とする縦長の貫通孔であることがより好ましい。アンカー金具８及びピン固定用ボルト７を設置するためのＡＬＣパネル２への孔あけは、工事現場で行われることが多く、その施工誤差を吸収することができるからである。
【００３１】
継合用スリット１２１は、バックプレート１２の建物躯体側固定面１２ｂに、自重受けプレート１１を揺動可能に継合することができる形状に形成されている。継合用スリット１２１は、上向きに凸な円弧である下辺１２３と、いずれも外向きに凸な円弧であって下辺から上辺１２２に向けて相互の間隔が漸増する両側辺１２４と、直線状の上辺１２２と、に囲まれてなる、横長の貫通孔である。継合用スリット１２１の上辺１２２及び両側辺１２４の上辺１２２寄りの一部については、上段側パネル取付け面１２ａ内にまで侵出して形成されていることが好ましい。又、横長の継合用スリット１２１は自重受けプレート１１とバックプレート１２との交線に対して平行に形成されている。継合用スリット１２１の配置は、詳しくは、その上辺１２２が、自重受けプレート１１とバックプレート１２との交線に対して平行となり、その垂直方向の中心線が、上記交線に直交する配置である。
【００３２】
取付け金物１においては、通常時は、自重受けプレート１１が、継合用スリット１２１の下辺１２３の円弧の頂点に接触する態様で水平面に対して平行を保って配置されている。そして、地震等の外力が壁体１００に加えられた有事においては、図５に示すように、自重受けプレート１１が、ロッキング性能の発現によるＡＬＣパネルの水平方向の微少回転に追従して揺動する。
【００３３】
ここで、ＡＬＣパネル構造設計指針・同解説（ＡＬＣ協会）では、「ＡＬＣパネルはその取付け部を可動とし、構造躯体の層間変形角１／１５０に対して脱落及び取付け耐力上支障のあるひび割れを生じさせないよう、支持構造部材に取付ける。」とあるが、この１／１５０の層間変形角を、継合用スリット１２１の下辺１２３の上向きに凸な円弧の形状における傾き角θの角度に変換すると０．３８°となる。以上より、ＡＬＣパネルの取付け構造１０における適正なロッキング性能を担保するためには、継合用スリット１２１の下辺１２３の上向きに凸な円弧の形状を傾き角θの角度が、０．３８２°以上確保されるように、設計すればよい。又、この傾き角θの角度の上限については、概ね１２°程度である。
【００３４】
又、継合用スリットの両側辺１２４を外向きに凸な円弧形状とすることによれば、パネル載置板１１１から延出するアンカー（上向きアンカー１１２）の端部が、継合用スリット１２１の外向きに凸な継合用スリットの側辺１２４に沿って移動できるため、アンカー（上向きアンカー１１２）を継合用スリット１２１に挿入してパネル載置板１１１を設置する際の設置位置のずれ幅を最小化できる。又、ロッキング性能発現時におけるアンカーの動きを円滑なものとし、継合用スリット１２１の内縁部との不要な干渉を回避して、これらの衝突の衝撃に起因するＡＬＣパネル２の破損を、より高い確度で防止することができる。
【００３５】
上記形状からなる取付け金物１を用いた取付け構造１０において、ロッキング性能が発現している時、図５に示すようにＡＬＣパネル２下部側の取付け金物１Ａの自重受けプレートとＡＬＣパネル２の上部側の取付け金物１Ｂの自重受けプレートとは、ＡＬＣパネルの回転に伴う上下のピン支持点を結ぶ直線の回転に完全に追随して、それぞれ反対方向に回転し、同時に、それぞれ反対方向に極微少ながらスライドする。この、取付け金物１の備える、回転及び微小スライド機構により、取付け構造１０においては、上述したようなロッキング性能発現時におけるＡＬＣパネルの破損を防止することができる。
＜取付け金物組立てキット＞
本発明の取付け金物１は、自重受けプレート１１とバックプレート１２とが、一体化される前の分離した状態で一組の組合せとされている、取付け金物組立てキットとしても、好ましくこれを用いることができる。
【００３６】
例えば、図１に示す取付け金物１は、このように一体化された状態で、壁体１００の建設現場に搬入されたものを用いることもできるが、図２のような一体化前の部品の組合せである金物組立てキットを建設現場に搬入し、この取付け金物組立てキットを一体化して取付け金物１を組立てる工程と、このようにして組立たてた取付け金物１にＡＬＣパネル２を載置する工程と、を、いずれも壁体１００の設置現場において行うことにより、壁体１００を形成することもできる。
【符号の説明】
【００３７】
１                                  取付け金物
１１                                自重受けプレート
１１１                              パネル載置板
１１２                              上向きアンカー
１１３                              掛止部
１１４                              下向きアンカー
１２                                バックプレート
１２ａ                              上段側パネル取付け面
１２ｂ                              建物躯体側固定面
１２ｃ                              下段側パネル取付け面
１２１                              継合用スリット
１２２                              継合用スリットの上辺
１２３                              継合用スリットの下辺
１２４                              継合用スリットの両側辺
１２５                              上部ピン止め用スリット
１２６                              下部ピン止め用貫通孔
２                                  軽量気泡コンクリートパネル
３                                  下地鋼材
４                                  建物躯体
７                                  固定用ボルト
８                                  アンカー金具
１０                                軽量気泡コンクリートパネルの取付け構造
１００                              軽量気泡コンクリートパネル壁体
【図１】
2019019533.tif 000003
【図２】
2019019533.tif 000004
【図３】
2019019533.tif 000005
【図４】
2019019533.tif 000006
【図５】
2019019533.tif 000007
【図６】
2019019533.tif 000008